(57)【要約】【課題】クッション性を損なわずにダストコントロールマットの塵埃捕捉性を高める。【解決手段】  熱可塑性パイル繊維１１で構成されたパイル糸を基布１９に植設してパイル１２に形成したパイル布帛を表面材とするダストコントロールマットのパイル面に、パイル１２の先端が熱溶融して窪み、熱溶融したパイル繊維１１の溶融塊１６が表面に固着した凹部１７を形成し、その凹部１７のパイルの先端において隣り合うパイル繊維１１とパイル繊維１１を溶融塊１６を介して連結すると共に、凹部１７において隣り合うパイル１２とパイル１２の間も溶融塊１６を介して連結する。パイル繊維間を連結している溶融塊１６が凹部１７の内部は、細かい起伏のある梨地模様にする。【選択図】図１
2015204935.tif 000002
【特許請求の範囲】
【請求項１】
熱可塑性パイル繊維（１１）で構成されたパイル糸を基布（１９）に植設してパイル（１２）に形成したパイル布帛を表面材とするダストコントロールマットにおいて、
パイル（１２）の先端が熱溶融して窪み、熱溶融したパイル繊維（１１）の溶融塊（１６）が表面に固着した凹部（１７）が形成されており、
その凹部（１７）のパイルの先端において隣り合うパイル繊維（１１）とパイル繊維（１１）が溶融塊（１６）を介して連結されており、
その凹部（１７）において隣り合うパイル（１２）とパイル（１２）の間も溶融塊（１６）を介して連結されており、
パイル繊維間を連結している溶融塊（１６）が凹部（１７）の内部に細かい起伏のある梨地模様を形成しているダストコントロールマット。
【請求項２】
パイル繊維（１１）が繊維ポリマーに顔料を練り込んで紡糸した原着合成繊維である請求項１のダストコントロールマット。
【請求項３】
パイル（１２）がカットパイルである請求項１と２の何れかのダストコントロールマット。
【請求項４】
パイル糸が単繊維繊度２０ｄｔｅｘ以下のパイル繊維（１１）によって構成されるマルチフイラメント糸であり、
パイル（１２）が無撚状態であって周側面に合撚による螺旋状撚目を有しない請求項３のダストコントロールマット。
【請求項５】
パイル糸が下撚を有する複数本の下撚単糸（２１）に上撚を加えて合撚された合撚糸であり、パイル（１２）が周側面に合撚による螺旋状撚目（２２）を有する請求項３のダストコントロールマット。
【請求項６】
パイル（１２）がループパイルである請求項１と２の何れかのダストコントロールマット。
【請求項７】
パイル布帛が矩形に縁取られており、その矩形の一辺に平行に走査するレーザー光線にパイル面が加熱されて凹部（１７）が形成されている請求項１〜６の何れかのダストコントロールマット。
【請求項８】
矩形に縁取られたパイル布帛（１４）の一辺、二辺、三辺、又は、全周四辺が凹部（１７）によって描出されるボーダー柄（８１）に装飾されている請求項７のダストコントロールマット。
【請求項９】
ボーダー柄（８１）がパイル布帛（１４）の周辺に沿って密接して連続する凹部（１７）によって描出される連続柄（８２）に装飾されている請求項８のダストコントロールマット。
【請求項１０】
レーザー光線（２０）の照射箇所が走査痕跡として幅０．３〜２．５ｍｍの細線となって残る走査方向（Ｘ）の直角方向（Ｙ）に、走査方向（Ｘ）に平行な複数条の細線が緻密に並んだ凹部（１７）が、レーザー光線の走査方向（Ｘ）に連なる走査地帯（３１）を形成している請求項７のダストコントロールマット。
【請求項１１】
走査地帯（３１）のレーザー光線の走査方向Ｘに隣り合う凹部（１７）と凹部（１７）が密接して帯状に連なっている請求項１０のダストコントロールマット。
【請求項１２】
走査地帯（３１）のレーザー光線の走査方向（Ｘ）に隣り合う凹部（１７）と凹部（１７）の間に隙間があって、その走査方向（Ｘ）に凹部（１７）が飛び飛びに飛び石状に連なっている請求項１０のダストコントロールマット。
【請求項１３】
パイル布帛が矩形に縁取られており、その矩形の直交する二辺のそれぞれに平行に走査地帯（３１）が形成されている請求項１０、１１、１２の何れかのダストコントロールマット。
【請求項１４】
パイル布帛のパイル面がレーザー光線の照射を受けて加熱され、パイル繊維の先端が熱溶融して窪み、パイル繊維の溶融塊が表面に固着した凹部（１７）がパイル面（１５）に形成されており、基布（１９）に対して２０度以下の傾斜角度（θ）で傾斜し、その傾斜方向（Ｓ）に傾斜の頂点（２６）から傾斜の底点（２７）へと続く長さ（Ｌ）が１５ｍｍ以上の斜面（２３）が凹部（１７）の内部に形成されている請求項１０、１１、１２、１３の何れかのダストコントロールマット。
【請求項１５】
凹部（１７）によって視覚障害者を誘導する点字標識（９１）がパイル面（１５）に表示されている請求項７のダストコントロールマット。
【請求項１６】
パイル布帛のパイル面がレーザー光線の照射を受けて加熱され、パイル繊維の先端が熱溶融して窪み、パイル繊維の溶融塊が表面に固着した凹部（１７）がパイル面（１５）に形成されており、基布（１９）に対して２０度以下の傾斜角度（θ）で傾斜し、その傾斜方向（Ｓ）に傾斜の頂点（２６）から傾斜の底点（２７）へと続く長さ（Ｌ）が１５ｍｍ以上の斜面（２３）が凹部（１７）の内部に形成されている請求項１５のダストコントロールマット。
【請求項１７】
パイル面（１５）に現れる溶融塊（１６）の粒径（Ｄ）が２ｍｍ以下であり、凹部（１７）が０．３〜２．５ｍｍの幅（Ｊ）の細線（７１）を描いており、且つ、凹部（１７）がレーザー光線の走査方向の直角方向に５〜５０ｍｍの間隔（Ｍ）の縞筋（７２）を形成してパイル面の全面に分布している請求項７のダストコントロールマット。
【請求項１８】
縞筋（７２）に地模様（７３）が細線（７１）によって描かれている請求項１７のダストコントロールマット。
【請求項１９】
パイル糸が単繊維繊度２０ｄｔｅｘ以下のマルチフイラメント糸であり、パイルが無撚りの開毛状態である請求項１７、１８の何れかのダストコントロールマット。
【請求項２０】
搬送される長尺資材の幅方向にレーザー光線が走査し、そのレーザー光線の照射箇所の走査痕跡を長尺資材の表面に残すレーザー光線照射装置のレーザー光線照射箇所にパイル布帛を通してパイル繊維を加熱溶融して溶融塊が固着した凹部（１７）をパイル布帛の幅方向Ｗに連ねるパイル布帛の仕上加工の過程において、パイル布帛（１４）の搬送速度を間欠的に変え、レーザー光線を常時パイル面に向けて照射し続け、
（１）  パイル布帛の低速搬送箇所にはレーザー光線の走査方向（Ｘ）の直角方向（Ｙ）に凹部（１７）が緻密に並んでレーザー光線の走査方向（Ｘ）に続く走査地帯（３１）を形成し、
（２）  パイル布帛の高速搬送箇所を、レーザー光線（２０）の照射箇所をパイル布帛の搬送方向（Ｚ）を斜めに横切るパイル布帛の斜め方向に移動させ、高速搬送箇所における凹部（１７）の発生密度を粗くし、高速搬送箇所の凹部を目立たなくし、以て、走査地帯（３１）に比して高速搬送箇所の凹部の発生密度が粗く、且つ、走査地帯の凹部に比して高速搬送箇所を相対的に隆起させ、パイル布帛の搬送方向（Ｚ）の直角方向（Ｗ）に続く凸部（１８）として高速搬送箇所を残すダストコントロールマットの仕上加工法。
【請求項２１】
搬送される長尺資材の幅方向にレーザー光線が走査し、そのレーザー光線の照射箇所の走査痕跡を長尺資材の表面に残すレーザー光線照射装置のレーザー光線照射箇所にパイル布帛を通してパイル繊維を加熱溶融して溶融塊が固着した凹部（１７）をパイル布帛の幅方向（Ｗ）に連ねるパイル布帛の仕上加工の過程において、レーザー光線をパイル面に間欠的に照射すると共にパイル布帛（１４）の搬送速度を間欠的に変え、
（１）  レーザー光線の照射時には、パイル布帛を低速搬送し、レーザー光線の走査方向（Ｘ）の直角方向（Ｙ）に凹部（１７）が緻密に並んでレーザー光線の走査方向（Ｘ）に続く走査地帯（３１）を形成し、
（２）  レーザー光線の照射停止時には、パイル布帛を高速搬送し、そのパイル布帛の高速搬送箇所を、凹部（１７）が形成されず、凹部（１７）が形成されている走査地帯（３１）に比して相対的に隆起してパイル布帛の搬送方向（Ｚ）に続く凸部（１８）として残すダストコントロールマットの仕上加工法。
【請求項２２】
搬送される長尺資材の幅方向にレーザー光線が走査し、そのレーザー光線の照射箇所の走査痕跡を長尺資材の表面に残すレーザー光線照射装置のレーザー光線照射箇所にパイル布帛を通してパイル繊維を加熱溶融して溶融塊が固着した凹部（１７）をパイル布帛の幅方向（Ｗ）に連ねるパイル布帛の仕上加工の過程において、レーザー光線を間欠的に照射し、
（１）  レーザー光線の照射時には、レーザー光線の走査方向（Ｘ）の直角方向（Ｙ）に凹部（１７）が緻密に並んでレーザー光線の走査方向（Ｘ）に続く走査地帯（３１）を形成し、
（２）  レーザー光線の照射停止時には、パイル布帛（１４）を高速に搬送して走査地帯（３１）の凹部（１７）に比して相対的に隆起して搬送方向（Ｚ）の直角方向（Ｗ）に続くパイル面を凸部（１８）として残すダストコントロールマットの仕上加工法。
【発明の詳細な説明】
【技術分野】
【０００１】
本発明は、屋内外の出入口に置き敷きして出入口を通過する歩行者の靴裏に付着している塵埃を捕捉するために使用されるタフテッドパイル布帛を表面材とするダストコントロールマットに関するものである。
【背景技術】
【０００２】
ダストコントロールマットの塵埃捕捉性を高めるためにテープ状に裁断した不織布テープをパイル糸に使用すること（例えば、特許文献１参照）、モノフイラメント糸を合撚して硬直したパイル糸を使用すること（例えば、特許文献２参照）、熱融着性新鞘糸条を合撚して熱融着し剛直にしたパイル糸を使用すること（例えば、特許文献３，４参照）、或いは、パイル全体を加熱溶融して剛直にすること（例えば、特許文献５参照）が知られている。
【０００３】
レーザー光線を照射してパイル繊維を加熱溶融してパイル面に図柄を描出することは公知であり、レーザー光線を発振する発振器と、発振器から出射されるレーザー光線を集光して布帛の表面に当てる照射レンズと、発振器から出射されるレーザー光線を照射レンズに導く反射板と、布帛の表面に照射されるビームスポットを移動するスポット部位移動手段と、発振器からビームスポットまでのレーザー光線の光路の距離を演算する光路演算手段と、レーザー光線のビーム径を調整するビーム径調整手段と、光路に応じて照射レンズの焦点を調整する焦点調整手段によってレーザー光線照射装置を構成し、照射レンズから布帛の表面までの距離が変化しても、ビームスポット径を一定に保つためにレーザー光線のビーム径や照射レンズの焦点を調整する調整手段も公知である（例えば、特許文献６参照）。
【０００４】
視覚障害者を誘導する点字標識を表示するために、パイル面に積層した塩化ビニル樹脂層の表面をエンボスして表示したバーコードを透明樹脂で被覆すること（例えば、特許文献７参照）、或いは、パイル布帛に穿設した貫通孔に点字鋲を螺着することは公知である（例えば、特許文献８参照）。
【０００５】
繊維ウエブの表面を平滑にするため、表面に浮き出た毛羽を焼き取る毛焼き処理は公知である（例えば、特許文献９，１０参照）。
【先行技術文献】
【特許文献】
【０００６】
【特許文献１】実用新案登録第３１０３２９９号公報
【特許文献２】特開平１０−６６６７４号公報
【特許文献３】特開２０００−２３８９９（特許第４１７５７０２号）
【特許文献４】特開２０００−２８２３３９（特許第３５６４３２０号）
【特許文献５】特開２００９−５０６０３（特許第５３００２２９号）
【特許文献６】特開２００７−２２２９０２号公報
【特許文献７】特開平１０−１０２４４２号公報
【特許文献８】特開平１１−３０３０３０号公報（特許第３８３０２７５号）
【特許文献９】特開２００２−４１６３号公報（特許第４３７２３１５号）
【特許文献１０】特開２０１１−４９２６号公報（特許第５２１３１８２号）
【発明の概要】
【発明が解決しようとする課題】
【０００７】
パイルを加熱溶融して剛直にすれば、パイル層は剣山のように硬くなり、靴裏に付着している塵埃の掻き取り機能が付与されてダストコントロールマットの塵埃捕捉効果は高まるが、素足が触れて負傷する危険であり、パイル自体もクッション性を失って折れ曲がり易くなり、ダストコントロールマットの耐用性が損なわれる。
【０００８】
そこで本発明は、クッション性を損なうことなくダストコントロールマットの塵埃捕捉性を高めることを目的とする。
【課題を解決するための手段】
【０００９】
本発明に係るダストコントロールマットは、（１）  熱可塑性パイル繊維１１で構成されたパイル糸を基布１９に植設してパイル１２に形成したパイル布帛を表面材とし、（２）  そのパイル１２の先端が熱溶融して窪み、熱溶融したパイル繊維１１の溶融塊１６が表面に固着した凹部１７が形成されており（図１参照）、（３）  その凹部１７のパイルの先端において隣り合うパイル繊維１１とパイル繊維１１が溶融塊１６を介して連結されており、（４）  その凹部１７において隣り合うパイル１２とパイル１２の間も溶融塊１６を介して連結されており（図２，図３参照）、（５）  パイル繊維間を連結している溶融塊１６が凹部１７の内部に細かい起伏のある梨地模様を形成していることを第１の特徴とする。
【００１０】
本発明に係るダストコントロールマットの第２の特徴は、上記第１の特徴に加えて、パイル繊維１１が繊維ポリマーに顔料を練り込んで紡糸した原着合成繊維である点にある。
【発明の効果】
【００１１】
本発明では、パイル面の表面だけを加熱してパイル面の表面を形成しているパイル繊維１１の先端部分だけを加熱してパイル面の表面に溶融塊１６を形成している。
この溶融塊１６は、パイル繊維１１に比して硬く、パイル層１３に押し上げられるようにパイル面に介在して靴裏に弾性的に触れ、靴裏に付着している塵埃を掻き取るので、ダストコントロールマットの塵埃捕捉効果が高まる。
【００１２】
その塵埃を捕捉する凹部１７の表面は、隣り合うパイル繊維１１とパイル繊維１１の間が溶融塊１６を介して連結されており、隣り合うパイル１２とパイル１２の間には溶融塊１６に塞がれない隙間４２が残存しており、その隙間４２から掻き取られた塵埃がパイル層内部１３に落ち込むので、掻き取られた塵埃が靴裏を汚染することはない。
【００１３】
塵埃捕捉機能を発揮する溶融塊１６は、パイル層１３に押し上げられるように凹部１７の表面に介在するので、この溶融塊１６によってダストコントロールマットのクッション性が損なわれることはなく、溶融塊１６に触れて擦り傷を負う危険も回避される。
【００１４】
本発明では、パイル繊維１１に原着合成繊維を使用しているので、溶融塊１６を形成するために加熱してもパイル面の変退色が回避される。
【図面の簡単な説明】
【００１５】
【図１】本発明に係るダストコントロールマットの一部拡大斜視図である。
【図２】本発明に係るダストコントロールマットのパイル面のマイクロスコープ写真を模写して示すパイル面の拡大平面図である。
【図３】図２のパイル面に介在する溶融塊だけを模写して示すパイル面の拡大平面図である。
【図４】本発明に係るダストコントロールマットの表面図である。
【図５】本発明に係るダストコントロールマットの表面図である。
【図６】本発明に係るダストコントロールマットの表面図である。
【図７】本発明に係るダストコントロールマットの表面図である。
【図８】本発明に係るダストコントロールマットの表面図である。
【図９】本発明に係るダストコントロールマットの表面図である。
【図１０】本発明に係るダストコントロールマットの表面図である。
【図１１】本発明に係るダストコントロールマットの要部斜視図である。
【図１２】本発明に係るダストコントロールマットの製造過程での斜視図である。
【図１３】本発明に係るダストコントロールマットの製造過程での斜視図である。
【図１４】本発明に係るダストコントロールマットの製造過程での斜視図である。
【図１５】本発明に係る点字ブロック用マットの平面図である。
【図１６】本発明に係る点字ブロック用マットの平面図である。
【図１７】本発明に係る点字ブロック用マットの平面図である。
【図１８】本発明に係る点字ブロック用マットの平面図である。
【図１９】本発明に係る点字ブロック用マットの要部斜視図である。
【図２０】本発明に係るダストコントロールマットの斜視図である。
【図２１】本発明に係るダストコントロールマットの斜視図である。
【図２２】本発明に係るダストコントロールマットの斜視図である。
【図２３】本発明に係るダストコントロールマットの製造工程図である。
【図２４】本発明に係るダストコントロールマットの断面側面図である。
【図２５】本発明に係るダストコントロールマットの一部拡大斜視図である。
【発明を実施するための形態】
【００１６】
パイル１２の先端で隣り合うパイル繊維１１とパイル繊維１１の間、および、パイル面で隣り合うパイル１２とパイル１２の間には、塵埃がパイル層内部に入り込むことが出来る隙間４１・４２を残してパイル繊維１１とパイル繊維１１の間が溶融塊１６を介して連結された橋架け網状構造にし、又、凹部１７の内部の表面に細かい起伏のある梨地模様を描出するには、走査するレーザー光線によってパイル面を加熱し、溶融塊１６をパイル繊維１１の先端に形成する（図１２〜１４，図２４参照）。
【００１７】
隣り合うパイル繊維間や隣り合うパイル間の連結箇所では、その隣り合う複数本のパイル繊維の溶融塊１６が触れ合って大きい溶融塊を形成し塵埃捕捉機能を発揮している。
従って、個々のパイル繊維１１の先端に発生する溶融塊１６は左程大きくなくてもよく、その粒径は、パイル繊維１１の太さの５倍以下であってもよい。
【００１８】
そのように溶融塊１６の粒径をパイル繊維の太さの５倍以下にするためには、パイル布帛１４をスプレー装置６１に通してパイル面にパイル繊維に比して熱溶融し難い耐熱性と水洗性を有する塗膜形成能を有する耐熱水洗性水性塗料５１を塗布し、その耐熱水洗性水性塗料５１をパイル繊維１１の先端とパイル繊維１１の先端の間の隙間に充填し、次いで乾燥機６２に通して耐熱水洗性水性塗料５１の塗膜を乾燥し、その乾燥塗膜によってパイル繊維間の隙間を固定してからレーザー光線照射装置に通してレーザー光線を照射する（図２３参照）。
耐熱水洗性水性塗料５１の乾燥塗膜は、レーザー光線を照射して溶融塊１６を形成してからパイル布帛１４を洗浄装置６４に通して水洗除去し、乾燥機６５に通してパイル布帛１４を乾燥する（図２３参照）。
【００１９】
耐熱水洗性水性塗料５１は、隣り合うパイル１２とパイル１２の間の隙間４２（図１〜３参照）をも充填するようにし、その乾燥塗膜によって隣り合うパイル間の隙間４２を固定してからレーザー光線を照射する。
【００２０】
耐熱水洗性水性塗料５１には、耐熱水洗性成分として硼砂、硼酸、硫酸アンモニウム、酢酸カリウム、塩化マグネシウム、二酢酸マグネシウネム・４水和物、酢酸ナトリウム、塩化ナトリウム、炭酸水素ナトリウム、珪酸ナトリウムの中から選択される何れかの水溶性無機質化合物を配合するとよい。
【００２１】
又、耐熱水洗性水性塗料５１には、水溶性無機質化合物のバインダー成分とし、又、耐熱水洗性水性塗料５１の粘度調整成分としてアルギン酸ナトリウムを配合するとよい。
【００２２】
本発明では、パイル繊維の溶融塊１６が塵埃捕捉機能を発揮するので、パイル繊維の単繊維繊度を左程太くする必要はなく、その単繊維繊度が２０ｄｔｅｘ以下で周側面に合撚による螺旋状撚目を有しない無撚マルチフイラメント糸（図１参照）と、単繊維繊度２０ｄｔｅｘ以下のパイル繊維１１によって構成される下撚を有する複数本の下撚単糸に上撚を加えて合撚され、周側面に合撚による螺旋状撚目２２を有する合撚糸（図２５参照）の何れも使用し得る。
【００２３】
隣り合うパイル１２とパイル１２の間に残される隙間１２を広くしたい場合には、螺旋状撚目２２を有する合撚糸をパイル糸に使用するとよい。
隣り合うパイル１２とパイル１２の間に残される隙間４２を細かくしたい場合には、螺旋状撚目を有しない無撚マルチフイラメント糸をパイル糸に使用するとよい。
パイル１２は、カットパイルでもループパイルでもよい。
【００２４】
矩形に裁断されたパイル布帛１４では、その裁断されて矩形に縁取られたパイル布帛１４の一辺（図４参照）、二辺（図５参照）、三辺（図６参照）、又は、全周四辺（図７参照）が凹部１７によって描出されるボーダー柄８１を設ける。
そのボーダー柄８１は、パイル布帛１４の周辺に沿って密接して連続する凹部１７によって描出される連続柄８２とすることが出来る（図７参照）。
【００２５】
パイル面に発生した溶融塊は、パイル繊維に比して硬く、パイル層に弾性的に押し上げられてパイル面に介在しているので、長く続く通路や廊下に敷き込んで使用するダストコントロールマットでは、歩行者の靴裏に付着している塵埃を掻き取る塵埃捕捉機能を発揮する。
【００２６】
その塵埃捕捉機能は、長く続く通路や廊下の出入口に付与すれば充分であり、長く続くダストコントロールマット全体が汚染されずに済み、ダストコントロールマットの清掃も楽になる。従って、裁断されて矩形に縁取られたダストコントロールマットでは、その一辺（図４参照）、二辺（図５参照）、三辺（図６参照）、又は、全周四辺（図７参照）にボーダー柄８１を凹部１７によって描出すると実用的である。
【００２７】
レーザー光線照射装置では、搬送される長尺資材の幅方向にレーザー光線が走査しており、そのレーザー光線の照射箇所が走査痕跡として長尺資材の表面に残るようになっている（図１２〜１３参照）。パイル長が５ｍｍ以上のパイルが緻密に植設されたパイル面に発生するレーザー光線の走査痕跡は、レーザー光線の走査方向に続く幅０．３〜２．５ｍｍの細線となって現れる。その細線がパイル布帛の搬送方向Ｚに緻密に並んだ箇所が凹部１７となってパイル面に現れる。
【００２８】
ダストコントロールマットには、レーザー光線２０の照射箇所が走査痕跡として幅０．３〜２．５ｍｍの細線となって残る走査方向Ｘの直角方向Ｙに、走査方向Ｘに平行な複数条の細線が緻密に並んだ凹部１７が、レーザー光線の走査方向Ｘに連なる走査地帯３１を形成する（図８〜１０参照）。そのように、凹部１７は、レーザー光線２０の走査痕跡として発生する幅０．３〜２．５ｍｍの細線によって明確に縁取られているので、パイル面は整然とした美観を呈することになる。
【００２９】
その走査地帯３１では、レーザー光線の走査方向Ｘに隣り合う凹部１７・１７を密接させて帯状に連ねることが出来る（図８，図１０参照）。
【００３０】
走査地帯３１では、レーザー光線の走査方向Ｘに隣り合う凹部１７と凹部１７の間に隙間を設け、凹部１７を飛び飛びに飛び石状に連ねることも出来る（図９参照）。
【００３１】
矩形に縁取られたダストコントロールマットでは、その矩形の直交する二辺のそれぞれに平行に走査地帯３１を設けるとよい（図５〜７，図１０，図１４参照）。
【００３２】
レーザー光線照射装置に通して凹部１７を形成する場合、レーザー光線が照射されて加熱され、パイル繊維の先端が熱溶融して窪み、パイル繊維の溶融塊が表面に固着した凹部１７がパイル面１５に形成されるが、その凹部１７の内部には、基布１９に対して２０度以下の傾斜角度θで傾斜し、その傾斜方向Ｓに傾斜の頂点２６から傾斜の底点２７へと続く長さＬが１５ｍｍ以上の斜面２３を形成するとよい（図１１，図２４参照）。
【００３３】
レーザー光線照射装置に通す場合、レーザー光線照射装置では搬送される長尺資材の幅方向にレーザー光線が走査し、そのレーザー光線の照射箇所の走査痕跡を長尺資材の表面に残すようにレーザー光線照射装置のレーザー光線照射箇所にパイル布帛を通してパイル繊維を加熱溶融して溶融塊が固着した凹部１７をパイル布帛の幅方向Ｗに連ねるパイル布帛の仕上加工の過程において（図８，図９参照）、パイル布帛１４の搬送速度を間欠的に変え、レーザー光線を常時パイル面に向けて照射し続け、（１）  パイル布帛の低速搬送箇所にはレーザー光線の走査方向Ｘの直角方向Ｙに凹部１７が緻密に並んでレーザー光線の走査方向Ｘに続く走査地帯３１を形成し、（２）  パイル布帛の高速搬送箇所を、レーザー光線２０の照射箇所をパイル布帛の搬送方向（Ｚ）を斜めに横切るパイル布帛の斜め方向に移動させ、高速搬送箇所における凹部１７の発生密度を粗くし、高速搬送箇所の凹部１７を目立たなくし（図１２参照）、以て、走査地帯３１に比して高速搬送箇所の凹部１７の発生密度が粗く、且つ、走査地帯の凹部１７に比して高速搬送箇所を相対的に隆起させ、パイル布帛の搬送方向Ｚの直角方向Ｗに続く凸部１８として高速搬送箇所を残すようにするとよい（図１２参照）。
【００３４】
レーザー光線照射装置のレーザー光線照射箇所にパイル布帛を通してパイル繊維を加熱溶融して溶融塊が固着した凹部１７をパイル布帛の幅方向Ｗに連ねるパイル布帛の仕上加工の過程において（図８，図９参照）、レーザー光線をパイル面に間欠的に照射すると共にパイル布帛の搬送速度を間欠的に変え、（１）  レーザー光線の照射時には、パイル布帛を低速搬送し（図１３参照）、レーザー光線の走査方向Ｘの直角方向Ｙに凹部１７が緻密に並んでレーザー光線の走査方向Ｘに続く走査地帯３１を形成し、（２）  レーザー光線の照射停止時には、パイル布帛を高速搬送し（図１３参照）、その高速搬送箇所を、凹部１７が形成されず、凹部１７が形成されている走査地帯３１に比して相対的に隆起してパイル布帛の搬送方向Ｚに続く凸部１８として残してもよい（図１３参照）。
【００３５】
レーザー光線照射装置のレーザー光線照射箇所にパイル布帛を通してパイル繊維を加熱溶融して溶融塊が固着した凹部１７をパイル布帛の幅方向Ｗに連ねるパイル布帛の仕上加工の過程において（図８，図９参照）、レーザー光線を間欠的に照射し、（１）  レーザー光線の照射時には、レーザー光線の走査方向Ｘの直角方向Ｙに凹部１７が緻密に並んでレーザー光線の走査方向Ｘに続く走査地帯３１を形成し、（２）  レーザー光線の照射停止時には、パイル布帛１４を高速に搬送して走査地帯３１の凹部１７に比して相対的に隆起して搬送方向Ｚの直角方向（Ｗ）に続くパイル面を凸部１８として残してもよい（図１３参照）。
【００３６】
そのように、搬送される長尺資材の幅方向にレーザー光線が走査し、そのレーザー光線の照射箇所の走査痕跡を長尺資材の表面に残すレーザー光線照射装置のレーザー光線照射箇所にパイル布帛を通してパイル繊維を加熱溶融して溶融塊が固着した凹部１７をパイル布帛の幅方向Ｗに連ねるパイル布帛の仕上加工の過程において、（１）  パイル布帛１４の搬送速度を間欠的に変え、レーザー光線を常時パイル面に向けて照射し続ける場合、（２）  レーザー光線をパイル面に間欠的に照射すると共にパイル布帛１４の搬送速度を間欠的に変え、レーザー光線の照射時にはパイル布帛１４を低速搬送し、レーザー光線の照射停止時にはパイル布帛１４を高速搬送する場合、（３）  レーザー光線をパイル面に間欠的に照射する場合の何れの場合にも、凹部１７が全面を占める走査地帯３１と凹部１７が殆ど目立たない凸部１８が形成され、その凸部１８がパイル布帛１４を高速に搬送して形成されるので、搬送方向Ｚに占める寸法Ｅの短い走査地帯３１を所定の間隔Ｇで繰り返し形成する場合、その間隔Ｇに占める凸部１８の寸法Ｆが走査地帯３１の寸法Ｅに比して長くなるにつれてパイル布帛の仕上加工効率が向上する。
【００３７】
このようにして搬送方向Ｚに所定の間隔Ｇで繰り返し走査地帯３１の形成されたパイル布帛を端縁が走査地帯３１に縁取られるように矩形に裁断し、縦横の向きを変えて再びレーザー光線照射装置に通し、その際、（１）  パイル布帛１４の搬送速度を間欠的に変え、レーザー光線を常時パイル面に向けて照射し続け、或いは、（２）  レーザー光線をパイル面に間欠的に照射すると共にパイル布帛１４の搬送速度を間欠的に変え、レーザー光線の照射時にはパイル布帛１４を低速搬送し、レーザー光線の照射停止時にはパイル布帛１４を高速搬送し、或いは、（３）  レーザー光線をパイル面に間欠的に照射することによって、周囲が、走査地帯３１で縁取られたボーダー柄のパイル布帛を効率的に得ることが出来る（図１４参照）。
図１２〜１４において、符号５３はレーザー光線を発振する発振器、５４はレーザー光線を集光する照射レンズ、５５はレーザー光線を布帛の表面に導く反射板、５６はレーザー光線の光路の距離を演算する光路演算手段を示す。
【００３８】
走査地帯３１では、レーザー光線の走査方向Ｘに隣り合う凹部１７と凹部１７が密接して帯状に連なっていてもよいし（図８参照）、隣り合う凹部１７と凹部１７の間に隙間があって、凹部１７が飛び飛びに飛び石状に連なっていてもよい（図９参照）。
【００３９】
パイル面に形成されるパイル繊維の溶融塊は、パイル繊維よりも硬く、パイル層に押し上げられるようにパイル面に介在して靴裏に触れるので、パイル繊維の溶融塊の有無は視覚障害者に感知され易く、その溶融塊が表面に固着した凹部１７によってパイル面１５に表示された標識は点字標識９１として視覚障害者に解読され易く、その点字標識９１によって視覚障害者を誘導することが出来る。
【００４０】
その点字標識９１は、パイル面に積層された樹脂層と異なってパイル面から剥離脱落することがなく、又、パイル布帛に螺着された点字鋲と異なってパイル布帛を引き裂く危険もなく、素足が触れて擦り傷を負う危険もなく安全である。
【００４１】
従って、本発明のパイル布帛は、凹部によって視覚障害者を誘導する点字標識９１がパイル面に表示される視覚障害者用点字ブロックに好適である（図１５〜１８参照）。
【００４２】
レーザー光線を照射してパイル面を加熱し、パイル繊維の先端が熱溶融して窪み、溶融塊が表面に固着した凹部１７を形成して点字ブロックを製造する場合、凹部１７の内部には基布１９に対して２０度以下の傾斜角度θで傾斜し、その傾斜方向Ｓに傾斜の頂点２６から傾斜の底点２７へと続く長さＬが１５ｍｍ以上の斜面２３を形成すると、視覚健常者が見てもデザイン的に優れた誘導ブロックが得られる（図１１，図１９参照）。
【００４３】
パイル布帛にレーザー光線を照射して溶融塊１６が表面に固着した凹部１７を形成する場合、その粒径Ｄが２ｍｍ以下の溶融塊１６が固着した凹部１７が連なった０．３〜２．５ｍｍの幅Ｊの細線７１をレーザー光線の走査方向の直角方向に５〜５０ｍｍの間隔Ｍでパイル面の全面に付設するとよい（図２０〜２２参照）。
【００４４】
そのようにすると、パイルが開毛し易く毛羽立ち易い単繊維繊度が２０ｄｔｅｘ以下の無撚りのマルチフイラメント糸によって構成されていても、その連なった溶融塊１６によってパイル面の毛羽立ちが抑えられ、パイル面の耐磨耗性が向上し、パーナーによって毛焼き処理を行う場合と同様にピリングが発生せず、清楚なパイル面の美観が保たれる。
そのようにパイル布帛をレーザー光線照射装置に通して毛焼き処理を行うと、バーナーによる毛焼き処理のように表面毛羽がフィルム状に溶融してパイル面の風合いが損なわれることがなく、パイル面が綺麗に仕上がる。
【００４５】
レーザー光線照射装置による毛焼き処理では、地模様７３を細線７１によって描きつつレーザー光線の走査方向に連続した縞筋７２をレーザー光線の走査方向の直角方向に５〜５０ｍｍの間隔Ｍでパイル面の全面に付設してもよい（図２１参照）。
【００４６】
従って本発明は、単繊維繊度２０ｄｔｅｘ以下のマルチフイラメント糸によって構成されてピリングが発生し易い無撚りの開毛状態にあるパイル布帛に好適である。
【実施例】
【００４７】
（パイル布帛）
目付け１２０ｇ／ｍ2 のポリエステル繊維性不織布を基布とし、単繊維繊度が１０ｄｔｅｘで総繊度が１３７０ｄｔｅｘの原着ナイロン繊維マルチフイラメント糸をパイル糸とし、ニードル間ゲージ２５．４ｍｍ（１／８吋ゲージ）のカットパイル用タフテッド機においてパイル植設密度（ステッチゲージ）を９ステッチ／２５．４ｍｍとしてタフティングし、パイル長１０ｍｍ・パイル目付け９００ｇ／ｍ2 のタフテッドパイル布帛を得た。
【００４８】
（仕上加工）
このパイル布帛の裏面にプレコートとしてニトリルブタジエンラテックスコンパウンドを塗布して乾燥し、次いでパイル面に硼砂と炭酸水素ナトリウムとアルギン酸ナトリウムを主材とする固形分濃度５質量％の前処理剤水溶液をスプレー装置によって３００ｇ／ｍ2 塗布して乾燥し、平均出力が８００Ｗでレーザー光線の波長が１０．６μｍ、レーザー光線移動速度４０００ｍｍ／分、マーク線太さ０．４ｍｍのイタリヤ・ハイテック社製の炭酸ガスレーザー光線照射装置に通してレーザー光線を模様状に照射し、パイル面のパイル繊維を加熱して溶融塊を模様状にパイル面に形成し、次いで、水洗して前処理剤を洗浄除去し、乾燥機に通して仕上げた。
【００４９】
（仕上がり状態）
前処理剤水溶液のスプレー乾燥後のカットパイルは、先端が前処理剤の乾燥塗膜に固められて尖端形を成しており、その先端だけがレーザー光線に加熱されて溶融塊が発生し、その溶融塊によって尖端形にセットされ、水洗されて前処理剤の固形分が溶解除去されてカットパイルが膨らみを回復してペンシルポイント形を呈した。
レーザー光線の照射時にレーザー光線の出力を変化させた凹部には、カットパイルの先端のパイル繊維の熱収縮の度合いの変化によって斜面が形成された。
【産業上の利用可能性】
【００５０】
本発明によって得られるパイル布帛は、ダストコントロールマットのほか、カーマット（車両足元マット）、カーペット、タイルカーペット等の敷物類に利用される。
【符号の説明】
【００５１】
１１：パイル繊維
１２：パイル
１３：パイル層
１４：パイル布帛
１５：パイル面
１６：溶融塊
１７：凹部
１８：凸部
１９：基布
２０：レーザー光線
２３：斜面
２６：頂点
２７：底点
３１：走査地帯
４１：繊維間間隔
４２：パイル間間隔
５３：発振器
５４：照射レンズ
５５：反射板
５６：演算装置
６１：スプレー装置
６２：乾燥機
６３：照射装置
６４：洗浄装置
６５：乾燥機
７１：細線
７２：縞筋
７３：地模様
８１：ボーダー柄
８２：連続柄
９１：点字標識
Ｄ  ：粒径
Ｅ  ：ボーダー幅
Ｆ  ：ボーダー間隔
Ｇ  ：間隔
Ｊ  ：細線幅
Ｌ  ：傾斜長さ
Ｍ  ：間隔
Ｓ  ：傾斜方向
Ｗ  ：搬送方向の直角方向（幅方向）
Ｘ  ：走査方向
Ｙ  ：直角方向
Ｚ  ：搬送方向（長さ方向）
θ  ：傾斜角度
【図１】
2015204935.tif 000003
【図２】
2015204935.tif 000004
【図３】
2015204935.tif 000005
【図４】
2015204935.tif 000006
【図５】
2015204935.tif 000007
【図６】
2015204935.tif 000008
【図７】
2015204935.tif 000009
【図８】
2015204935.tif 000010
【図９】
2015204935.tif 000011
【図１０】
2015204935.tif 000012
【図１１】
2015204935.tif 000013
【図１２】
2015204935.tif 000014
【図１３】
2015204935.tif 000015
【図１４】
2015204935.tif 000016
【図１５】
2015204935.tif 000017
【図１６】
2015204935.tif 000018
【図１７】
2015204935.tif 000019
【図１８】
2015204935.tif 000020
【図１９】
2015204935.tif 000021
【図２０】
2015204935.tif 000022
【図２１】
2015204935.tif 000023
【図２２】
2015204935.tif 000024
【図２３】
2015204935.tif 000025
【図２４】
2015204935.tif 000026
【図２５】
2015204935.tif 000027
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
熱可塑性パイル繊維（１１）で構成されたパイル糸を基布（１９）に植設してパイル（１２）に形成したパイル布帛を表面材とするダストコントロールマットにおいて、
パイル（１２）の先端が熱溶融して窪み、熱溶融したパイル繊維（１１）の溶融塊（１６）が表面に固着した凹部（１７）が形成されており、
その凹部（１７）のパイルの先端において隣り合うパイル繊維（１１）とパイル繊維（１１）が溶融塊（１６）を介して連結されており、
その凹部（１７）において隣り合うパイル（１２）とパイル（１２）の間も溶融塊（１６）を介して連結されており、
パイル繊維間を連結している溶融塊（１６）が凹部（１７）の内部に細かい起伏のある梨地模様を形成しているダストコントロールマット。
【請求項２】
パイル繊維（１１）が繊維ポリマーに顔料を練り込んで紡糸した原着合成繊維である請求項１のダストコントロールマット。
【請求項３】
パイル布帛が矩形に縁取られており、その矩形の一辺に平行に走査するレーザー光線にパイル面が加熱されて凹部（１７）が形成されている請求項１と２の何れかのダストコントロールマット。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
（ａ）  熱可塑性パイル繊維（１１）で構成されたパイル糸を基布（１９）に植設してパイル（１２）に形成したパイル布帛を表面材とするダストコントロールマットにおいて、
（ｂ）  パイル（１２）の先端が熱溶融して窪み、熱溶融したパイル繊維（１１）の溶融塊（１６）が表面に固着した凹部（１７）が形成されており、
（ｃ）  その凹部（１７）のパイルの先端において隣り合うパイル繊維（１１）とパイル繊維（１１）が溶融塊（１６）を介して連結されており、
（ｄ）  パイルの先端において隣り合うパイル繊維（１１）とパイル繊維（１１）の間には、塵埃がパイル層内部に入り込むことが出来る隙間（４１）が残存しており、
（ｅ）  その凹部（１７）において隣り合うパイル（１２）とパイル（１２）の間も溶融塊（１６）を介して連結されており、
（ｆ）  隣り合うパイル１２とパイル（１２）の間にも溶融塊１６に塞がれない隙間４２が残存しており、
（ｇ）  パイル繊維（１１）とパイル繊維（１１）の間が溶融塊（１６）を介して連結された橋架け網状構造になっており、
（ｈ）  パイル繊維間を連結している溶融塊（１６）が凹部（１７）の内部に細かい起伏のある梨地模様を形成しているダストコントロールマット。
【請求項２】
パイル繊維（１１）が繊維ポリマーに顔料を練り込んで紡糸した原着合成繊維である請求項１のダストコントロールマット。
【手続補正２】
【補正対象書類名】明細書
【補正対象項目名】全文
【補正方法】変更
【補正の内容】
【発明の詳細な説明】
【技術分野】
【０００１】
本発明は、屋内外の出入口に置き敷きして出入口を通過する歩行者の靴裏に付着している塵埃を捕捉するために使用されるタフテッドパイル布帛を表面材とするダストコントロールマットに関するものである。
【背景技術】
【０００２】
ダストコントロールマットの塵埃捕捉性を高めるためにテープ状に裁断した不織布テープをパイル糸に使用すること（例えば、特許文献１参照）、モノフイラメント糸を合撚して硬直したパイル糸を使用すること（例えば、特許文献２参照）、熱融着性芯鞘糸条を合撚して熱融着し剛直にしたパイル糸を使用すること（例えば、特許文献３，４参照）、或いは、パイル全体を加熱溶融して剛直にすること（例えば、特許文献５参照）が知られている。
【０００３】
レーザー光線を照射してパイル繊維を加熱溶融してパイル面に図柄を描出することは公知であり、レーザー光線を発振する発振器と、発振器から出射されるレーザー光線を集光して布帛の表面に当てる照射レンズと、発振器から出射されるレーザー光線を照射レンズに導く反射板と、布帛の表面に照射されるビームスポットを移動するスポット部位移動手段と、発振器からビームスポットまでのレーザー光線の光路の距離を演算する光路演算手段と、レーザー光線のビーム径を調整するビーム径調整手段と、光路に応じて照射レンズの焦点を調整する焦点調整手段によってレーザー光線照射装置を構成し、照射レンズから布帛の表面までの距離が変化しても、ビームスポット径を一定に保つためにレーザー光線のビーム径や照射レンズの焦点を調整する調整手段も公知である（例えば、特許文献６参照）。
【先行技術文献】
【特許文献】
【０００４】
【特許文献１】実用新案登録第３１０３２９９号公報
【特許文献２】特開平１０−６６６７４号公報
【特許文献３】特開２０００−２３８９９（特許第４１７５７０２号）
【特許文献４】特開２０００−２８２３３９（特許第３５６４３２０号）
【特許文献５】特開２００９−５０６０３（特許第５３００２２９号）
【特許文献６】特開２００７−２２２９０２号公報
【発明の概要】
【発明が解決しようとする課題】
【０００５】
パイルを加熱溶融して剛直にすれば、パイル層は剣山のように硬くなり、靴裏に付着している塵埃の掻き取り機能が付与されてダストコントロールマットの塵埃捕捉効果は高まるが、素足が触れて負傷する危険であり、パイル自体もクッション性を失って折れ曲がり易くなり、ダストコントロールマットの耐用性が損なわれる。
【０００６】
そこで本発明は、クッション性を損なうことなくダストコントロールマットの塵埃捕捉性を高めることを目的とする。
【課題を解決するための手段】
【０００７】
本発明に係るダストコントロールマットは、（ａ）  熱可塑性パイル繊維１１で構成されたパイル糸を基布１９に植設してパイル１２に形成したパイル布帛を表面材とし、（ｂ）  そのパイル１２の先端が熱溶融して窪み、熱溶融したパイル繊維１１の溶融塊１６が表面に固着した凹部１７が形成されており（図１参照）、（ｃ）  その凹部１７のパイルの先端において隣り合うパイル繊維１１とパイル繊維１１が溶融塊１６を介して連結されており、（ｄ）  パイルの先端において隣り合うパイル繊維１１とパイル繊維１１の間には、塵埃がパイル層内部に入り込むことが出来る隙間４１が残存しており、（ｅ）  その凹部１７において隣り合うパイル１２とパイル１２の間も溶融塊１６を介して連結されており（図２，図３参照）、（ｆ）  隣り合うパイル１２とパイル１２の間にも溶融塊１６に塞がれない隙間４２が残存しており、（ｇ）  パイル繊維１１とパイル繊維１１の間が溶融塊１６を介して連結された橋架け網状構造になっており、（ｈ）  パイル繊維間を連結している溶融塊１６が凹部１７の内部に細かい起伏のある梨地模様を形成していることを第１の特徴とする。
【０００８】
本発明に係るダストコントロールマットの第２の特徴は、上記第１の特徴に加えてパイル繊維１１が繊維ポリマーに顔料を練り込んで紡糸した原着合成繊維である点にある。
【発明の効果】
【０００９】
本発明では、パイル面の表面だけを加熱してパイル面の表面を形成しているパイル繊維１１の先端部分だけを加熱してパイル面の表面に溶融塊１６を形成している。
この溶融塊１６は、パイル繊維１１に比して硬く、パイル層１３に押し上げられるようにパイル面に介在して靴裏に弾性的に触れ、靴裏に付着している塵埃を掻き取るので、ダストコントロールマットの塵埃捕捉効果が高まる。
【００１０】
その塵埃を捕捉する凹部１７の表面は、隣り合うパイル繊維１１とパイル繊維１１の間が溶融塊１６を介して連結されており、隣り合うパイル１２とパイル１２の間には溶融塊１６に塞がれない隙間４２が残存しており、その隙間４２から掻き取られた塵埃がパイル層内部１３に落ち込むので、掻き取られた塵埃が靴裏を汚染することはない。
【００１１】
塵埃捕捉機能を発揮する溶融塊１６は、パイル層１３に押し上げられるように凹部１７の表面に介在するので、この溶融塊１６によってダストコントロールマットのクッション性が損なわれることはなく、溶融塊１６に触れて擦り傷を負う危険も回避される。
【００１２】
本発明では、パイル繊維１１に原着合成繊維を使用しているので、溶融塊１６を形成するために加熱してもパイル面の変退色が回避される。
【図面の簡単な説明】
【００１３】
【図１】本発明に係るダストコントロールマットの一部拡大斜視図である。
【図２】本発明に係るダストコントロールマットのパイル面のマイクロスコープ写真を模写して示すパイル面の拡大平面図である。
【図３】図２のパイル面に介在する溶融塊だけを模写して示すパイル面の拡大平面図である。
【図４】本発明に係るダストコントロールマットの一部拡大斜視図である。
【発明を実施するための形態】
【００１４】
パイル１２の先端で隣り合うパイル繊維１１とパイル繊維１１の間、および、パイル面で隣り合うパイル１２とパイル１２の間には、塵埃がパイル層内部に入り込むことが出来る隙間４１・４２を残してパイル繊維１１とパイル繊維１１の間が溶融塊１６を介して連結された橋架け網状構造にし、又、凹部１７の内部の表面に細かい起伏のある梨地模様を描出するには、走査するレーザー光線によってパイル面を加熱し、溶融塊１６をパイル繊維１１の先端に形成する。
【００１５】
隣り合うパイル繊維間や隣り合うパイル間の連結箇所では、その隣り合う複数本のパイル繊維の溶融塊１６が触れ合って大きい溶融塊を形成し塵埃捕捉機能を発揮している。
従って、個々のパイル繊維１１の先端に発生する溶融塊１６は左程大きくなくてもよく、その粒径は、パイル繊維１１の太さの５倍以下であってもよい。
【００１６】
本発明では、パイル繊維の溶融塊１６が塵埃捕捉機能を発揮するので、パイル繊維の単繊維繊度を左程太くする必要はなく、その単繊維繊度が２０ｄｔｅｘ以下で周側面に合撚による螺旋状撚目を有しない無撚マルチフイラメント糸（図１参照）と、単繊維繊度２０ｄｔｅｘ以下のパイル繊維１１によって構成される下撚を有する複数本の下撚単糸に上撚を加えて合撚され、周側面に合撚による螺旋状撚目２２を有する合撚糸（図４参照）の何れも使用し得る。
【００１７】
隣り合うパイル１２とパイル１２の間に残される隙間１２を広くしたい場合には、螺旋状撚目２２を有する合撚糸をパイル糸に使用するとよい。隣り合うパイル１２とパイル１２の間に残される隙間４２を細かくしたい場合には、螺旋状撚目を有しない無撚マルチフイラメント糸をパイル糸に使用するとよい。パイル１２は、カットパイルでもループパイルでもよい。
【００１８】
パイル面に発生した溶融塊は、パイル繊維に比して硬く、パイル層に弾性的に押し上げられてパイル面に介在しているので、長く続く通路や廊下に敷き込んで使用するダストコントロールマットでは、歩行者の靴裏に付着している塵埃を掻き取る塵埃捕捉機能を発揮する。
【実施例】
【００１９】
（パイル布帛）
目付け１２０ｇ／ｍ2 のポリエステル繊維性不織布を基布とし、単繊維繊度が１０ｄｔｅｘで総繊度が１３７０ｄｔｅｘの原着ナイロン繊維マルチフイラメント糸をパイル糸とし、ニードル間ゲージ２５．４ｍｍ（１／８吋ゲージ）のカットパイル用タフテッド機においてパイル植設密度（ステッチゲージ）を９ステッチ／２５．４ｍｍとしてタフティングしパイル長１０ｍｍ・パイル目付け９００ｇ／ｍ2 のタフテッドパイル布帛を得た。
【００２０】
（仕上加工）
このパイル布帛の裏面にプレコートとしてニトリルブタジエンラテックスコンパウンドを塗布して乾燥し、次いでパイル面に硼砂と炭酸水素ナトリウムとアルギン酸ナトリウムを主材とする固形分濃度５質量％の前処理剤水溶液をスプレー装置によって３００ｇ／ｍ2 塗布して乾燥し、平均出力が８００Ｗでレーザー光線の波長が１０．６μｍ、レーザー光線移動速度４０００ｍｍ／分、マーク線太さ０．４ｍｍのイタリヤ・ハイテック社製の炭酸ガスレーザー光線照射装置に通してレーザー光線を模様状に照射し、パイル面のパイル繊維を加熱して溶融塊を模様状にパイル面に形成し、次いで、水洗して前処理剤を洗浄除去し、乾燥機に通して仕上げた。
【００２１】
（仕上がり状態）
前処理剤水溶液のスプレー乾燥後のカットパイルは、先端が前処理剤の乾燥塗膜に固められて尖端形を成しており、その先端だけがレーザー光線に加熱されて溶融塊が発生し、その溶融塊によって尖端形にセットされ、水洗されて前処理剤の固形分が溶解除去されてカットパイルが膨らみを回復してペンシルポイント形を呈した。
レーザー光線の照射時にレーザー光線の出力を変化させた凹部には、カットパイルの先端のパイル繊維の熱収縮の度合いの変化によって斜面が形成された。
【産業上の利用可能性】
【００２２】
本発明によって得られるパイル布帛は、ダストコントロールマットのほか、カーマット（車両足元マット）、カーペット、タイルカーペット等の敷物類に利用される。
【符号の説明】
【００２３】
１１：パイル繊維
１２：パイル
１３：パイル層
１６：溶融塊
１７：凹部
１９：基布
２１：下撚単糸
２２：螺旋状撚目
４１：繊維間間隔
４２：パイル間間隔
【手続補正３】
【補正対象書類名】図面
【補正対象項目名】図４
【補正方法】変更
【補正の内容】
【図４】
2015204935.tif 000028
【手続補正４】
【補正対象書類名】図面
【補正対象項目名】図５
【補正方法】削除
【補正の内容】
【手続補正５】
【補正対象書類名】図面
【補正対象項目名】図６
【補正方法】削除
【補正の内容】
【手続補正６】
【補正対象書類名】図面
【補正対象項目名】図７
【補正方法】削除
【補正の内容】
【手続補正７】
【補正対象書類名】図面
【補正対象項目名】図８
【補正方法】削除
【補正の内容】
【手続補正８】
【補正対象書類名】図面
【補正対象項目名】図９
【補正方法】削除
【補正の内容】
【手続補正９】
【補正対象書類名】図面
【補正対象項目名】図１０
【補正方法】削除
【補正の内容】
【手続補正１０】
【補正対象書類名】図面
【補正対象項目名】図１１
【補正方法】削除
【補正の内容】
【手続補正１１】
【補正対象書類名】図面
【補正対象項目名】図１２
【補正方法】削除
【補正の内容】
【手続補正１２】
【補正対象書類名】図面
【補正対象項目名】図１３
【補正方法】削除
【補正の内容】
【手続補正１３】
【補正対象書類名】図面
【補正対象項目名】図１４
【補正方法】削除
【補正の内容】
【手続補正１４】
【補正対象書類名】図面
【補正対象項目名】図１５
【補正方法】削除
【補正の内容】
【手続補正１５】
【補正対象書類名】図面
【補正対象項目名】図１６
【補正方法】削除
【補正の内容】
【手続補正１６】
【補正対象書類名】図面
【補正対象項目名】図１７
【補正方法】削除
【補正の内容】
【手続補正１７】
【補正対象書類名】図面
【補正対象項目名】図１８
【補正方法】削除
【補正の内容】
【手続補正１８】
【補正対象書類名】図面
【補正対象項目名】図１９
【補正方法】削除
【補正の内容】
【手続補正１９】
【補正対象書類名】図面
【補正対象項目名】図２０
【補正方法】削除
【補正の内容】
【手続補正２０】
【補正対象書類名】図面
【補正対象項目名】図２１
【補正方法】削除
【補正の内容】
【手続補正２１】
【補正対象書類名】図面
【補正対象項目名】図２２
【補正方法】削除
【補正の内容】
【手続補正２２】
【補正対象書類名】図面
【補正対象項目名】図２３
【補正方法】削除
【補正の内容】
【手続補正２３】
【補正対象書類名】図面
【補正対象項目名】図２４
【補正方法】削除
【補正の内容】
【手続補正２４】
【補正対象書類名】図面
【補正対象項目名】図２５
【補正方法】削除
【補正の内容】
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
（ａ）  熱可塑性パイル繊維（１１）で構成されたパイル糸を基布（１９）に植設してパイル（１２）に形成したパイル布帛を表面材とするダストコントロールマットにおいて、（ｂ）  パイル（１２）の先端が熱溶融して窪み、熱溶融したパイル繊維（１１）の溶融塊（１６）が表面に固着した凹部（１７）が形成されており、（ｃ）  その凹部（１７）のパイルの先端において隣り合うパイル繊維（１１）とパイル繊維（１１）が溶融塊（１６）を介して連結されており、（ｄ）パイル長が５ｍｍ以上であり、（ｅ）  パイルの先端において隣り合うパイル繊維（１１）とパイル繊維（１１）の間には、塵埃がパイル層内部に入り込むことが出来る隙間（４１）が残存しており、（ｆ）  その凹部（１７）において隣り合うパイル（１２）とパイル（１２）の間も溶融塊（１６）を介して連結されており、（ｇ）  パイル糸が、下撚を有する複数本の下撚単糸（２１・２１）に上撚を加えて合撚され、周側面に合撚による螺旋状撚目（２２）を有する合撚糸であり、（ｈ）
隣り合うパイル（１２）とパイル（１２）の間にも溶融塊（１６）に塞がれない隙間（４２）が残存しており、（ｉ）  パイル繊維（１１）とパイル繊維（１１）の間が溶融塊（１６）を介して連結された橋架け網状構造になっており、（ｊ）  パイル繊維間を連結している溶融塊（１６）が凹部（１７）の内部に細かい起伏のある梨地模様を形成しているダストコントロールマット。
【請求項２】
パイル繊維（１１）が繊維ポリマーに顔料を練り込んで紡糸した原着合成繊維である請求項１のダストコントロールマット。
【手続補正２】
【補正対象書類名】明細書
【補正対象項目名】０００７
【補正方法】変更
【補正の内容】
【０００７】
本発明に係るダストコントロールマットは、（ａ）  熱可塑性パイル繊維１１で構成されたパイル糸を基布１９に植設してパイル１２に形成したパイル布帛を表面材とし、（ｂ）  そのパイル１２の先端が熱溶融して窪み、熱溶融したパイル繊維１１の溶融塊１６が表面に固着した凹部１７が形成されており（図１参照）、（ｃ）  その凹部１７のパイルの先端において隣り合うパイル繊維１１とパイル繊維１１が溶融塊１６を介して連結されており、（ｄ）パイル長が５ｍｍ以上であり、（ｅ）  パイルの先端において隣り合うパイル繊維１１とパイル繊維１１の間には、塵埃がパイル層内部に入り込むことが出来る隙間４１が残存しており、（ｆ）  その凹部１７において隣り合うパイル１２とパイル１２の間も溶融塊１６を介して連結されており（図２，図３参照）、（ｇ）  パイル糸が、下撚を有する複数本の下撚単糸２１・２１に上撚を加えて合撚され、周側面に合撚による螺旋状撚目２２を有する合撚糸であり（図４参照）、（ｈ）  隣り合うパイル１２とパイル１２の間にも溶融塊１６に塞がれない隙間４２が残存しており、（ｉ）  パイル繊維１１とパイル繊維１１の間が溶融塊１６を介して連結された橋架け網状構造になっており、（ｊ）  パイル繊維間を連結している溶融塊１６が凹部１７の内部に細かい起伏のある梨地模様を形成していることを第１の特徴とする。
【手続補正３】
【補正対象書類名】明細書
【補正対象項目名】００１６
【補正方法】変更
【補正の内容】
【００１６】
本発明では、パイル繊維の溶融塊１６が塵埃捕捉機能を発揮するので、パイル繊維の単繊維繊度を左程太くする必要はなく、その単繊維繊度が２０ｄｔｅｘ以下で周側面に合撚による螺旋状撚目を有しない無撚マルチフイラメント糸（図１参照）と、単繊維繊度２０ｄｔｅｘ以下のパイル繊維１１によって構成される下撚を有する複数本の下撚単糸２１・２１に上撚を加えて合撚され、周側面に合撚による螺旋状撚目２２を有する合撚糸（図４参照）の何れも使用し得る。
【手続補正４】
【補正対象書類名】明細書
【補正対象項目名】００１７
【補正方法】変更
【補正の内容】
【００１７】
隣り合うパイル１２とパイル１２の間に残される隙間４２を広くしたい場合には、螺旋状撚目２２を有する合撚糸（図４参照）をパイル糸に使用するとよい。隣り合うパイル１２とパイル１２の間に残される隙間４２を細かくしたい場合には、螺旋状撚目を有しない無撚マルチフイラメント糸をパイル糸に使用するとよい。パイル１２は、カットパイルでもループパイルでもよい。
【手続補正５】
【補正対象書類名】明細書
【補正対象項目名】００２３
【補正方法】変更
【補正の内容】
【００２３】
１１：パイル繊維
１２：パイル
１３：パイル層
１６：溶融塊
１７：凹部
１９：基布
２１：下撚単糸
２２：螺旋状撚目
４１：隙間
４２：隙間